(57)【特許請求の範囲】
【請求項１】
導光板と、前記導光板の端面に臨むように配置され前記端面に向かって光を射出する光源と、前記光源が実装される基板と、前記基板を介して前記光源を保持する光源保持部材とを備え、
前記導光板には、前記端面から前記基板側に突出して前記基板に当接する突起部が形成され、
前記導光板の、前記突起部が形成されている部分には、前記導光板と前記光源保持部材とを互いに固定するためのネジの軸部が挿通されるとともに前記導光板の厚さ方向で前記導光板を貫通する貫通孔が形成されていることを特徴とする照明装置。
【請求項２】
前記光源保持部材は、前記端面に対向するように配置される基部を備え、
前記基板は、フレキシブルプリント基板であり、
前記基板の一部は、前記突起部と前記基部とに挟まれていることを特徴とする請求項１記載の照明装置。
【請求項３】
前記導光板の厚さ方向に直交する方向であって前記端面に沿う方向を第１方向とすると、
前記第１方向で分割された複数の前記基板を備え、
前記第１方向で隣り合う２個の前記基板の端部に１個の前記突起部が当接していることを特徴とする請求項１または２記載の照明装置。
【請求項４】
導光板と、前記導光板の端面に臨むように配置され前記端面に向かって光を射出する光源と、前記光源を保持する光源保持部材とを備え、
前記導光板には、前記端面から前記光源保持部材側に突出して前記光源保持部材に当接する突起部が形成され、
前記導光板の、前記突起部が形成されている部分には、前記導光板と前記光源保持部材とを互いに固定するためのネジの軸部が挿通されるとともに前記導光板の厚さ方向で前記導光板を貫通する貫通孔が形成されていることを特徴とする照明装置。
【請求項５】
前記導光板の厚さ方向に直交する方向であって前記端面に沿う方向を第１方向とすると、
前記第１方向に配列される複数の前記光源を備え、
前記突起部は、前記第１方向における前記光源の間に配置されていることを特徴とする請求項１から４のいずれかに記載の照明装置。
【請求項６】
１つの前記端面に沿って配列される前記光源の数は、偶数個であることを特徴とする請求項５記載の照明装置。
【発明の詳細な説明】
【技術分野】
【０００１】
本発明は、厚さの薄い平板状の照明装置に関する。
【背景技術】
【０００２】
光射出面の明るさが周縁部も含めて全体的に均一になるように設計された平板状の照明装置が本出願人によって提案されている（たとえば、特許文献１参照）。特許文献１に記載の照明装置は、導光板と、導光板の端面に向かって光を射出する複数のＬＥＤ光源と、導光板の厚さ方向における導光板の一方側に配置され導光板が発する光を拡散させる拡散板と、導光板の厚さ方向における導光板の他方側に配置される反射板とを備えている。複数のＬＥＤ光源は、ＬＥＤ基板に実装されており、導光板の端面に臨むように配置されている。
【先行技術文献】
【特許文献】
【０００３】
【特許文献１】特開２０１４−１５００４９号公報
【発明の概要】
【発明が解決しようとする課題】
【０００４】
特許文献１に記載の照明装置では、導光板の端面に臨むように配置されるＬＥＤ光源が発熱する。そのため、ＬＥＤ光源と導光板の端面とが接触したり、ＬＥＤ光源と導光板の端面との距離が近くなり過ぎたりすると、導光板が熱で変形するおそれがある。また、複数のＬＥＤ光源のそれぞれと導光板の端面との距離がばらつくと、拡散板の光射出面（すなわち、照明装置の光射出面）に輝度斑が生じるおそれがある。
【０００５】
そこで、本発明の課題は、導光板の端面に臨むように配置される光源と導光板の端面との隙間を精度良く保つことが可能な照明装置を提供することにある。
【課題を解決するための手段】
【０００６】
上記の課題を解決するため、本発明の照明装置は、導光板と、導光板の端面に臨むように配置され端面に向かって光を射出する光源と、光源が実装される基板と、基板を介して光源を保持する光源保持部材とを備え、導光板には、端面から基板側に突出して基板に当接する突起部が形成され、導光板の、突起部が形成されている部分には、導光板と光源保持部材とを互いに固定するためのネジの軸部が挿通されるとともに導光板の厚さ方向で導光板を貫通する貫通孔が形成されていることを特徴とする。
【０００７】
本発明の照明装置では、基板に光源が実装されており、導光板には、導光板の端面から基板側に突出して基板に当接する突起部が形成されている。そのため、本発明では、導光板の端面からの突起部の突出量に応じた隙間を導光板の端面と光源との間で保つことが可能になる。したがって、本発明では、導光板の端面と光源との隙間を精度良く保つことが可能になる。
【０００８】
また、本発明では、照明装置は、基板を介して光源を保持する光源保持部材を備え、導光板の、突起部が形成されている部分には、導光板と光源保持部材とを互いに固定するためのネジの軸部が挿通される貫通孔が形成されているため、導光板と光源保持部材とを互いに固定するためのネジを導光板の端面により近い位置に配置することが可能になる。したがって、導光板内での光の拡散に影響を与えにくい位置にネジを配置することが可能になり、その結果、照明装置の輝度斑を抑制することが可能になる。
【０００９】
本発明において、たとえば、光源保持部材は、端面に対向するように配置される基部を備え、基板は、フレキシブルプリント基板であり、基板の一部は、突起部と基部とに挟まれている。この場合には、光源保持部材の基部と導光板の突起部とによってフレキシブルプリント基板のふらつきを防止することが可能になる。
【００１０】
本発明において、導光板の厚さ方向に直交する方向であって端面に沿う方向を第１方向とすると、照明装置は、第１方向で分割された複数の基板を備え、第１方向で隣り合う２個の基板の端部に１個の突起部が当接していることが好ましい。このように構成すると、２個の基板の端部を１個の突起部で押さえることが可能になるため、導光板に形成される突起部の数を減らすことが可能になる。したがって、導光板の構成を簡素化することが可能になる。
【００１１】
また、上記の課題を解決するため、本発明の照明装置は、導光板と、導光板の端面に臨むように配置され端面に向かって光を射出する光源と、光源を保持する光源保持部材とを備え、導光板には、端面から光源保持部材側に突出して光源保持部材に当接する突起部が形成され、導光板の、突起部が形成されている部分には、導光板と光源保持部材とを互いに固定するためのネジの軸部が挿通されるとともに導光板の厚さ方向で導光板を貫通する貫通孔が形成されていることを特徴とする。
【００１２】
本発明の照明装置では、光源保持部材に光源が保持されており、導光板には、導光板の端面から光源保持部材側に突出して光源保持部材に当接する突起部が形成されている。そのため、本発明では、導光板の端面からの突起部の突出量に応じた隙間を導光板の端面と光源との間で保つことが可能になる。したがって、本発明では、導光板の端面と光源との隙間を精度良く保つことが可能になる。
【００１３】
また、本発明では、導光板の、突起部が形成されている部分には、導光板と光源保持部材とを互いに固定するためのネジの軸部が挿通される貫通孔が形成されているため、導光板と光源保持部材とを互いに固定するためのネジを導光板の端面により近い位置に配置することが可能になる。したがって、導光板内での光の拡散に影響を与えにくい位置にネジを配置することが可能になり、その結果、照明装置の輝度斑を抑制することが可能になる。
【００１４】
本発明において、導光板の厚さ方向に直交する方向であって端面に沿う方向を第１方向とすると、第１方向に配列される複数の光源を備え、突起部は、第１方向における光源の間に配置されていることが好ましい。このように構成すると、たとえば、導光板の厚さ方向において光源と重なるように突起部が配置されている場合と比較して、導光板の厚さ方向で照明装置を小型化（薄型化）することが可能になる。
【００１５】
本発明において、１つの端面に沿って配列される光源の数は、偶数個であることが好ましい。このように構成すると、複数の光源の間に等間隔で突起部を配置しやすくなる。なお、複数の光源の間に等間隔で突起部が配置されている場合には、複数の光源のそれぞれと導光板の端面との隙間のばらつきを効果的に抑制することが可能になる。
【発明の効果】
【００１６】
以上のように、本発明の照明装置では、導光板の端面に臨むように配置される光源と導光板の端面との隙間を精度良く保つことが可能になる。
【図面の簡単な説明】
【００１７】
【図１】本発明の実施の形態にかかる照明装置を正面側から示す斜視図である。
【図２】図１に示す照明装置の使用例を説明するための正面図である。
【図３】図１に示す照明装置を背面側から示す斜視図である。
【図４】図１に示す照明装置の一部の構成の分解斜視図である。
【図５】図３に示す照明装置からケースを取り外した状態の背面図である。
【図６】図３のＥ−Ｅ断面の断面図である。
【図７】単一真球粒子による散乱光強度の角度分布を示すグラフである。
【図８】図４に示す導光板および基板等の構成を背面側から説明するための図である。
【図９】図８に示す導光板、基板および光源保持部材等の一部の分解斜視図である。
【図１０】図９のＧ部の拡大図である。
【図１１】図８のＨ−Ｈ断面の構成を説明するための図である。
【図１２】図８のＪ−Ｊ断面の構成を説明するための図である。
【図１３】図３のＫ−Ｋ断面の断面図である。
【図１４】図３のＮ−Ｎ断面の断面図である。
【図１５】図１に示す照明装置において光源から射出された光が拡散板の光射出面から射出されるまでの光の経路を説明するための図である。
【図１６】本発明の他の実施の形態にかかる突出部の構成を説明するための図である。
【図１７】本発明の他の実施の形態にかかる突出部の構成を説明するための図である。
【図１８】本発明の他の実施の形態にかかる導光板の構成を説明するための図である。
【図１９】本発明の他の実施の形態にかかる導光板の構成を説明するための図である。
【図２０】本発明の他の実施の形態にかかるフレームの正面図である。
【図２１】本発明の他の実施の形態にかかる光源保持部材の構成を説明するための図である。
【図２２】本発明の他の実施の形態にかかる光源保持部材の構成を説明するための図である。
【図２３】本発明の他の実施の形態にかかる光源保持部材の構成を説明するための図である。
【図２４】（Ａ）は、本発明の他の実施の形態にかかる照明装置の光射出面の明るさの分布を説明するためのグラフであり、（Ｂ）は、本発明の他の実施の形態にかかる照明装置を２枚組み合わせて使用したときの光射出面の明るさの分布を説明するためのグラフである。
【図２５】本発明の他の実施の形態にかかる光源の配置位置を説明するための図である。
【発明を実施するための形態】
【００１８】
以下、図面を参照しながら、本発明の実施の形態を説明する。
【００１９】
（照明装置の全体構成）
図１は、本発明の実施の形態にかかる照明装置１を正面側から示す斜視図である。図２は、図１に示す照明装置１の使用例を説明するための正面図である。図３は、図１に示す照明装置１を背面側から示す斜視図である。図４は、図１に示す照明装置１の一部の構成の分解斜視図である。図５は、図３に示す照明装置１からケース９を取り外した状態の背面図である。図６は、図３のＥ−Ｅ断面の断面図である。
【００２０】
本形態の照明装置１は、照明装置１の光射出面３ａの明るさが周縁部も含めて全体的に均一となるように設計された発光装置であり、薄い平板状（扁平なパネル形状）に形成されている。具体的には、照明装置１は、長方形の平板状に形成されている。この照明装置１は、単体で使用される。あるいは、この照明装置１は、複数枚組み合わされて使用される。たとえば、図２（Ａ）に示すように、２枚の照明装置１が長方形状に組み合わされて使用されたり、図２（Ｂ）に示すように、４枚の照明装置１が長方形状に組み合わされて使用されたりする。また、照明装置１は、たとえば、インテリアを兼ねた照明装置として室内の壁面に設置されて使用される。なお、３枚の照明装置１が組み合わされて使用されても良いし、５枚以上の照明装置１が組み合わされて使用されても良い。
【００２１】
以下の説明では、照明装置１の厚さ方向（図１等のＺ方向）を「前後方向」とし、前後方向に直交する方向のうちの、長方形状をなす照明装置１の長手方向（図１等のＸ方向）を「左右方向」とし、前後方向と左右方向とに直交する照明装置１の短手方向（図１等のＹ方向）を「上下方向」とする。また、前後方向のうちの照明装置１の正面側（図１等のＺ１方向側）を「前」側とし、その反対側である照明装置１の背面側（図１等のＺ２方向側）を「後（後ろ）」側とする。
【００２２】
照明装置１は、導光板２と、導光板２の前側に配置され導光板２が発する光を拡散する拡散板３と、導光板２の後ろ側に配置される反射シート４と、反射シート４の後ろ側に配置される補強用のフレーム５とを備えている。また、照明装置１は、導光板２の端面２ａ、２ｂに向かって光を射出する複数の光源６（図６参照）と、複数の光源６が実装される基板７と、基板７を介して光源６を保持する光源保持部材８とを備えている。さらに、照明装置１は、導光板２、反射シート４、フレーム５、光源６、基板７および光源保持部材８が収容されるケース９を備えている。なお、図４では、光源６の図示を省略している。
【００２３】
導光板２は、長方形の平板状に形成されており、導光板２の厚さ方向と前後方向とが一致するように配置されている。すなわち、前後方向は、導光板２の厚さ方向となっており、導光板２は、前後方向から見たときの形状が長方形状となるように形成されている。また、導光板２は、長方形状に形成される導光板２の長手方向と左右方向とが一致するように配置されている。導光板２には、上下方向に直交する２個の端面２ａと、左右方向に直交する２個の端面２ｂとが形成されている（図４参照）。導光板２の前面は、導光板２の光射出面２ｃとなっている。導光板２の具体的な構成については後述する。
【００２４】
拡散板３は、長方形の略平板状に形成されており、拡散板３の厚さ方向と前後方向とが一致するように配置されている。すなわち、拡散板３は、前後方向から見たときの形状が長方形状となるように形成されている。また、拡散板３は、長方形状に形成される拡散板３の長手方向と左右方向とが一致するように配置されている。拡散板３の前面は、拡散板３の光射出面３ａとなっている。光射出面３ａは、照明装置１の光射出面となっている。拡散板３は、真正面から光射出面３ａを見たときに（すなわち、光射出面３ａに対して直交する方向から光射出面３ａを見たときに）、光射出面３ａの外形の中に照明装置１の構成部品が収まる大きさとなっている。拡散板３の具体的な構成については後述する。
【００２５】
反射シート４は、たとえば、アルミニウム箔のような反射率の高い材料で形成されている。また、反射シート４は、導光板２の後面（背面）の全体を覆うように長方形状に形成されている。反射シート４の前面は、導光板２の中を進行する光を反射する反射面４ａとなっている。この反射シート４は、導光板２の後面に密着するように配置されている。たとえば、反射シート４は、導光板２の後面に貼り付けられており、導光板２の中を進行する光は反射面４ａで反射する。なお、反射シート４に代えて、薄い平板状に形成された反射板が導光板２の後ろ側に配置されても良いし、反射シート４に代えて、導光板２の後面に反射コーティングが塗布されても良い。
【００２６】
フレーム５は、熱伝導率の高い金属板によって形成されている。本形態のフレーム５は、軽量であるアルミニウム合金によって形成されており、フレーム５の表面の色は、銀色となっている。フレーム５は、前後方向から見たときのフレーム５の外形が長方形状となる平板状に形成されている。具体的には、フレーム５は、長方形の枠状に形成される平板状の枠部５ａと、Ｘ形状に形成され枠部５ａの対角同士を繋ぐ平板状の筋交い部５ｂとから構成されている。このフレーム５は、フレーム５の厚さ方向と前後方向とが一致するように配置されている。また、フレーム５は、長方形の枠状をなす枠部５ａの長手方向と左右方向とが一致するように配置されている。フレーム５は、反射シート４の後面に密着するように配置されている。
【００２７】
光源６は、ＬＥＤ（Ｌｉｇｈｔ  Ｅｍｉｔｔｉｎｇ  Ｄｉｏｄｅ）光源であり、上述のように基板７に実装されている。光源６を構成するＬＥＤ素子のそれぞれは白色ＬＥＤであり、光源６は白色の光を射出する。光源６は、導光板２の端面２ａ、２ｂに臨むように配置されている。具体的には、光源６は、前後方向における端面２ａ、２ｂの中心と光源６の中心とが前後方向でほぼ一致するように配置されている。本形態では、導光板２の４個の端面２ａ、２ｂのそれぞれに臨むように複数の光源６が配置されている。すなわち、導光板２の４個の端面２ａ、２ｂのそれぞれに沿って複数の光源６が配置されている。なお、光源６は、赤色ＬＥＤ素子と緑色ＬＥＤ素子と青色ＬＥＤ素子とがパッケージ化されたものであっても良い。この場合には、光源６は各種の色の光を射出することが可能になる。
【００２８】
基板７は、フレキブルプリント基板（ＦＰＣ（Ｆｌｅｘｉｂｌｅ  Ｐｒｉｎｔｅｄ  Ｃｉｒｃｕｉｔｓ））である。この基板７は、図４に示すように、細長い帯状の光源実装部７ａと、光源実装部７ａに直交するように光源実装部７ａに繋がる細長い帯状の回路接続部７ｂとを備えている。光源実装部７ａには、帯状に形成される光源実装部７ａの長手方向に沿って複数の光源６が直線状に配列されて実装されている。上述のように、導光板２の４個の端面２ａ、２ｂのそれぞれに臨むように複数の光源６が配置されている。本形態の照明装置１は、たとえば、１個の端面２ａに沿うように配置される２個の基板７と、１個の端面２ｂに沿うように配置される１個の基板７とを備えている。すなわち、照明装置１は、合計６個の基板７を備えている。また、照明装置１は、左右方向で分割されて１個の端面２ａに沿うように配置される２個の基板７を備えている。基板７の具体的な構成については後述する。なお、図４では、２個の基板７のみを図示している。また、端面２ａには、端面２ａの長さや基板７の長さに応じて、３個以上の基板７が配置されることもある。また、端面２ｂには、端面２ｂの長さや基板７の長さに応じて、２個以上の基板７が配置されることもある。
【００２９】
光源保持部材８は、アルミニウム合金製の板等の薄い金属板が所定形状に折り曲げられることで形成されている。具体的には、光源保持部材８は、導光板２の端面２ａ、２ｂに対向するように配置される基部８ａと、前後方向における基部８ａの両端から導光板２側へ延びる第１延設部８ｂおよび第２延設部８ｃとを備えており、全体として細長い四角溝状に形成されている。すなわち、光源保持部材８は、その断面形状が略Ｕ形状（略コの字状）となるように形成されている。第１延設部８ｂは、基部８ａの前端に繋がり、第２延設部８ｃは、基部８ａの後端に繋がっている。本形態の光源保持部材８は、アルミニウム合金によって形成されており、光源保持部材８の表面の色は、銀色になっている。
【００３０】
上述のように、導光板２の４個の端面２ａ、２ｂのそれぞれに臨むように複数の光源６が配置されており、本形態の照明装置１は、１個の端面２ａに沿って配置される１個の光源保持部材８と、１個の端面２ｂに沿って配置される１個の光源保持部材８とを備えている。すなわち、照明装置１は、図５に示すように、合計４個の光源保持部材８を備えている。端面２ａに沿って配置される光源保持部材８の長さは、端面２ｂに沿って配置される光源保持部材８の長さよりも長くなっている。光源保持部材８の具体的な構成については後述する。
【００３１】
なお、図４では、１個の光源保持部材８のみを図示している。また、各端面２ａ、２ｂに沿って配置される光源保持部材８の数は、複数個であってもよい。また、端面２ａに沿って配置される光源保持部材８の長さと端面２ｂに沿って配置される光源保持部材８の長さとを同じ長さにしたい場合には、この場合の光源保持部材８の長さを「光源保持部材８の共通の長さ」とすると、端面２ａ、２ｂの長さを、光源保持部材８の共通の長さの整数倍とすれば良い。たとえば、端面２ｂの長さを、光源保持部材８の共通の長さと等しくし、端面２ａの長さを、光源保持部材８の共通の長さの２倍とすれば、共通の長さの光源保持部材８を端面２ｂに沿って１個配置するとともに、共通の長さの光源保持部材８を端面２ａに沿って２個連なるように配置することができる。また、端面２ｂの長さを、光源保持部材８の共通の長さの２倍とし、端面２ａの長さを、光源保持部材８の共通の長さの３倍とすれば、共通の長さの光源保持部材８を端面２ｂに沿って２個連なるように配置するとともに、共通の長さの光源保持部材８を端面２ａに沿って３個連なるように配置することができる。
【００３２】
図６に示すように、基板７の光源実装部７ａおよび光源６は、第１延設部８ｂと第２延設部８ｃとの間に配置されている。また、光源実装部７ａおよび光源６は、基部８ａと端面２ａ、２ｂとの間に配置されており、端面２ａ、２ｂに沿うように配置されている。第１延設部８ｂと第２延設部８ｃとの間には、導光板２、反射シート４およびフレーム５が挟まれている。すなわち、第１延設部８ｂおよび第２延設部８ｃは、前後方向において導光板２を挟むように配置されている。
【００３３】
ケース９は、鋼板またはアルミニウム合金製の板等の薄い金属板によって形成されている。本形態では、熱伝導率が高くかつ軽量であるアルミニウム合金によってケース９が形成されている。また、ケース９は、プレスの曲げ加工等によって形成されている。このケース９は、図４に示すように、底面部９ａと、底面部９ａの外周端から前側に向かって立ち上がる側面部９ｂとから構成されており、前側が開口する扁平な直方体の箱状に形成されている。側面部９ｂは、長方形の枠状に形成されており、前後方向から見たときのケース９の形状は長方形状となっている。ケース９は、長方形の枠状をなす側面部９ｂの長手方向と左右方向とが一致するように配置されている。
【００３４】
底面部９ａの周縁部９ｃの内側には、凹溝部９ｄが周縁部９ｃから前側に向かって窪むように形成されている。この凹溝部９ｄは、四角環状に形成されている。凹溝部９ｄの内側は、後ろ側に向かって突出する中央部９ｅとなっている。中央部９ｅは、周縁部９ｃよりも後ろ側に突出している。底面部９ａの厚さは一定となっている。すなわち、周縁部９ｃの厚さと凹溝部９ｄの厚さと中央部９ｅの厚さとは等しくなっている。前後方向から見たときに、中央部９ｅの面積が一番広くなっている。中央部９ｅには、照明装置１を壁や天井等に取り付けるための取付孔（図示省略）等が形成されている。なお、図４では、凹溝部９ｄおよび中央部９ｅの図示を省略している。
【００３５】
上述のように、ケース９の内部には、導光板２、反射シート４、フレーム５、光源６、基板７および光源保持部材８が収容されており、ケース９の底面（すなわち、底面部９ａの前面）と導光板２との間にフレーム５が配置されている。ケース９の前端側の開口は、拡散板３によって塞がれている。本形態では、図１等に示すように、拡散板３の外周面とケース９の外周面とは同一面上に配置されている。ただし、ケース９の外周面が拡散板３の外周面より内側に配置されても良い。
【００３６】
（拡散板の構成）
図７は、単一真球粒子による散乱光強度の角度分布（Ａ、θ）を示すグラフである。
【００３７】
拡散板３は、上述のように、導光板２の前側に配置されている。すなわち、拡散板３は、導光板２の前面を構成する光射出面２ｃの側に配置されている。この拡散板３は、導光板２に向かって突出する（すなわち、後ろ側へ突出する）突出部３ｂを備えている。突出部３ｂは、拡散板３の外周面に沿って形成されており、長方形の枠状に形成されている。突出部３ｂの外周面は、拡散板３の外周面の一部を構成している。また、突出部３ｂは、導光板２の光射出面２ｃの周縁部２ｄ（図６参照）に対向する位置に配置されている。突出部３ｂの後面は、前後方向に直交する平面状に形成されており、光射出面２ｃから射出された光が入射する光入射面３ｃとなっている。なお、周縁部２ｄは、光射出面２ｃの、光入射面３ｃと前後方向において対向する部分であり、長方形の枠状に形成されている。
【００３８】
突出部３ｂの内側は、前側に向かって窪む長方形状の凹部３ｄとなっており、拡散板３には、突出部３ｂに囲まれる空間が形成されている。凹部３ｄの底面は、光射出面２ｃから射出された光が入射する光入射面３ｅとなっている。突出部３ｂの内側面３ｆは平面状に形成されており、拡散板３の外周面と突出部３ｂの内側面３ｆとは互いに平行になっている。また、光入射面３ｃ、３ｅと、拡散板３の外周面および内側面３ｆとは直交している。拡散板３の外周面は、空気に接する面である。また、突出部３ｂの内側面３ｆも凹部３ｄに面しており、空気に接する面である。そのため、突出部３ｂの内側から拡散板３の外周面に臨界角を超えて入射する光は、拡散板３の外周面で全反射する。また、突出部３ｂの内側から内側面３ｆに臨界角を超えて入射する光は、内側面３ｆで全反射する。
【００３９】
拡散板３は、光透過率の高いアクリル系樹脂またはポリカーボネイトによって形成されている。また、拡散板３は、球形粒子である光散乱粒子が多数含有された光散乱導光体である。具体的には、拡散板３は、体積的に一様な散乱能が与えられた光散乱導光体であり、拡散板３に入射した光は、拡散板３の中で光散乱粒子によって散乱する。そのため、本形態では、光射出面３ａの輝度分布を均一化することが可能となっている。拡散板３に含有される光散乱粒子は、たとえば、シリコーン粒子によって形成されている。この光散乱粒子は、たとえば、平均自由行程０．１ｍｍ以下となる濃度で拡散板３に含有されている。
【００４０】
ここで、光散乱粒子（シリコーン粒子）の理論的な基礎を与えるＭｉｅ散乱理論について説明する。Ｍｉｅ散乱理論は、一様な屈折率を有する媒体（マトリックス）中にこの媒体と異なる屈折率を有する球形粒子（光散乱粒子）が存在するケースについてマックスウェルの電磁方程式の解を求めたものである。光散乱粒子によって散乱した散乱光の角度に依存した強度分布Ｉ（Ａ、θ）は下記（１）式で表される。Ａは、光散乱粒子の光学的大きさを示すサイズパラメータであり、マトリックス中での光の波長λで規格化された球形粒子（光散乱粒子）の半径ｒに相当する量である。角度θは散乱角で、入射光の進行方向と同一方向をθ＝０°にとる。
0006587505.tif 000002
【００４１】
また、（１）式中のｉ１、ｉ２は（４）式で表される。そして、（２）〜（４）式中の下添字「ν」付のａおよびｂは（５）式で表される。上添字「１」および下添字「ν」を付したＰ（ｃｏｓθ）は、Ｌｅｇｅｎｄｒｅの多項式、下添字「ν」付のａ、ｂは、１次、２次のＲｅｃａｔｔｉ−Ｂｅｓｓｅｌ関数Ψ＊、ζ＊（ただし、「＊」は下添字「ν」を意味する。）とその導関数とからなる。ｍはマトリックスを基準にした光散乱粒子の相対屈折率で、ｍ＝ｎｓｃａｔｔｅｒ／ｎｍａｔｒｉｘである。なお、ｍはマトリックスを基準にした光散乱粒子の相対屈折率であり、マトリックスの屈折率ｎｍａｔｒｉｘおよび光散乱粒子の屈折率ｎｓｃａｔｔｅｒとｍ＝ｎｓｃａｔｔｅｒ／ｎｍａｔｒｉｘの関係にある。
0006587505.tif 000003
0006587505.tif 000004
0006587505.tif 000005
0006587505.tif 000006
【００４２】
図７は、上記（１）〜（５）式に基づいて、単一真球粒子による強度分布Ｉ（Ａ、θ）を示すグラフである。図７では、原点Ｏの位置に光散乱粒子としての真球粒子があり、図７における下方から入射光が入射した場合の散乱光強度の角度分布Ｉ（Ａ、θ）を示している。原点Ｏから各曲線までの距離が、それぞれの散乱角方向の散乱光強度である。ひとつの曲線はＡが１．７であるときの散乱光強度、別の曲線はＡが１１．５であるときの散乱光強度、さらに別の曲線はＡが６９．２であるときの散乱光強度である。なお、図７においては、散乱光強度を対数目盛で示している。そのため、図７では僅かな強度差として見える部分が、実際には非常に大きな差となっている。
【００４３】
図７に示すように、サイズパラメータＡが大きくなればなるほど（ある波長λで考えた場合は真球粒子の粒径が大きくなればなるほど）、図７における上方（照射方向の前方）に対して指向性が高く光が散乱されていることがわかる。また、実際のところ、散乱光強度の角度分布Ｉ（Ａ、θ）は、入射光波長λを固定すれば、散乱子の半径ｒと、媒体および光散乱粒子の相対屈折率ｍとをパラメータとして制御することができる。
【００４４】
このような、単一真球粒子がＮ個含まれる拡散板３に光が入射すると、光は真球粒子によって散乱する。散乱光は、拡散板３の中を進み、他の真球粒子によって再度散乱する。ある程度以上の体積濃度で真球粒子を添加した場合には、このような散乱が逐次的に複数回行われた後、光が拡散板３から射出する。このように散乱光がさらに散乱するような現象を多重散乱現象と呼ぶ。このような多重散乱においては、透明ポリマーでの光線追跡法による解析は容易ではない。しかし、モンテカルロ法により光の挙動を追跡し、その特性を解析することはできる。それによると、入射光が無偏光の場合、散乱角の累積分布関数Ｆ（θ）は下記の（６）式で表される。
0006587505.tif 000007
【００４５】
ここで（６）式中のＩ（θ）は、（１）式で表されるサイズパラメータＡの真球粒子の散乱強度である。強度Ｉｏの光が拡散板３に入射し、距離ｙを透過した後、光の強度が散乱によりＩに減衰したとすると、これらの関係は下記の（７）式で表される。
0006587505.tif 000008
【００４６】
この（７）式中のτは濁度と呼ばれ、媒体の散乱係数に相当するものであり、下記の（８）式のように粒子数Ｎに比例する。なお、（８）式中、σｓは散乱断面積である。
0006587505.tif 000009
【００４７】
（７）式から長さＬの拡散板３を散乱せずに透過する確率Ｐｔ（Ｌ）は下記の（９）式で表される。
0006587505.tif 000010
【００４８】
反対に光路長Ｌまでに散乱する確率Ｐｓ（Ｌ）は下記の（１０）式で表される。
0006587505.tif 000011
【００４９】
これらの式からわかるように、濁度τを変えることにより、拡散板３の中での多重散乱の度合いを制御することができる。以上の関係式により、光散乱粒子のサイズパラメータＡと濁度τとの少なくとも１つをパラメータとして、拡散板３の中での多重散乱が制御可能である。本形態の拡散板３に含有されている光散乱粒子は、たとえば、平均粒径が２．４μｍの透光性のシリコーン粒子であり、光散乱粒子による散乱係数に相当する散乱パラメータである濁度τは、τ＝０．４９（λ＝５５０ｎｍ）である。
【００５０】
（基板、導光板および光源保持部材の構成）
図８は、図４に示す導光板２および基板７等の構成を背面側から説明するための図である。図９は、図８に示す導光板２、基板７および光源保持部材８等の一部の分解斜視図である。図１０は、図９のＧ部の拡大図である。図１１は、図８のＨ−Ｈ断面の構成を説明するための図である。図１２は、図８のＪ−Ｊ断面の構成を説明するための図である。
【００５１】
基板７は、上述のように、フレキブルプリント基板であり、細長い帯状に形成される光源実装部７ａと、細長い帯状に形成され光源実装部７ａに直交するように光源実装部７ａに繋がる回路接続部７ｂとを備えている。回路接続部７ｂは、光源実装部７ａの長手方向の中央部に繋がっており、基板７は、Ｔ形状に形成されている。光源実装部７ａには、帯状に形成される光源実装部７ａの長手方向に直交する方向へ突出する係合凸部７ｃが形成されている。係合凸部７ｃは、たとえば、後ろ側に向かってわずかに突出するように形成されている。また、係合凸部７ｃは、光源実装部７ａの長手方向において所定の間隔をあけた状態で複数箇所に形成されている。なお、係合凸部７ｃは、前側に向かってわずかに突出するように形成されても良い。また、後ろ側に向かってわずかに突出する係合凸部７ｃと前側に向かってわずかに突出する係合凸部７ｃとが形成されても良い。また、係合凸部７ｃは、光源実装部７ａの長手方向に直交する方向に対して傾斜した方向へ突出していても良い。すなわち、係合凸部７ｃは、光源実装部７ａの長手方向に交差する方向へ突出していれば良い。
【００５２】
光源実装部７ａには、光源実装部７ａの長手方向に沿って複数の光源６が実装されている。すなわち、光源実装部７ａには、端面２ａ、２ｂに沿うように複数の光源６が実装されており、端面２ａに沿って配置される光源実装部７ａでは、複数の光源６が左右方向に一列で配列され、端面２ｂに沿って配置される光源実装部７ａでは、複数の光源６が上下方向に一列で配列されている。本形態では、光源実装部７ａに、偶数個の光源６が実装されている。すなわち、端面２ａ、２ｂに沿って偶数個の光源６が配列されている。具体的には、図９に示すように、１個の光源実装部７ａに１８個の光源６が実装されている。１８個の光源６は、一定のピッチで実装されており、光源実装部７ａの長手方向における回路接続部７ｂの両側に９個ずつの光源６が実装されている。
【００５３】
導光板２は、光透過率の高いアクリル系樹脂によって形成されている。また、導光板２は、拡散板３と同様に光散乱粒子が多数含有された光散乱導光体であり、導光板２には、拡散板３に含有される光散乱粒子と同様の光散乱粒子が含有されている。たとえば、導光板２に含有される光散乱粒子の径は７μｍであり、濃度０．１ｗｔ％の光散乱粒子が導光板２に含有されている。
【００５４】
導光板２には、端面２ａ、２ｂから基板７側に突出する複数の突起部２ｆが形成されている。すなわち、導光板２には、端面２ａ、２ｂから光源保持部材８の基部８ａ側へ突出する複数の突起部２ｆが形成されている。具体的には、導光板２には、端面２ａから上下方向の外側へ突出する複数の突起部２ｆと、端面２ｂから左右方向の外側へ突出する複数の突起部２ｆとが形成されている。突起部２ｆは、各端面２ａ、２ｂに沿う方向を長手方向とする扁平な直方体の小片状に形成されており、前後方向から見たときの突起部２ｆの形状は長方形状となっている。端面２ａから突出する突起部２ｆの先端面は、上下方向に直交する平面状に形成され、端面２ｂから突出する突起部２ｆの先端面は、左右方向に直交する平面状に形成されている。なお、図４では、突起部２ｆの図示を省略している。
【００５５】
図８に示すように、突起部２ｆは、基板７に当接している。すなわち、突起部２ｆの先端面は、光源実装部７ａの、光源６が実装される面に当接している。突起部２ｆは、直線状に配列される光源６の間に配置されており、突起部２ｆの先端面は、光源実装部７ａの、光源６の間の部分に当接している。また、複数の突起部２ｆは、一定のピッチで形成されており、光源実装部７ａの長手方向で光源６を３個ずつ挟むように突起部２ｆが配置されている。すなわち、導光板２には、光源実装部７ａの長手方向に配列される光源６の３個分のピッチで複数の突起部２ｆが形成されている。
【００５６】
また、端面２ａに沿うように配置される２個の基板７の隣り合う端部（具体的には、光源実装部７ａの隣り合う端部）７ｄには、図８に示すように、１個の突起部２ｆが当接している。光源実装部７ａの一部は、光源保持部材８の基部８ａと突起部２ｆとの間に挟まれている。すなわち、光源実装部７ａの、光源６の間の部分および端部７ｄは、基部８ａと突起部２ｆとの間に挟まれている。基板７は、基部８ａと突起部２ｆとの間に光源実装部７ａの一部が挟まれることで、導光板２と基板保持部材８との間で固定されている。
【００５７】
導光板２の、突起部２ｆが形成されている部分（導光板２の、突起部２ｆの内側）には、導光板２と光源保持部材８とを互いに固定するための後述のネジ２０の軸部２０ａが挿通される複数の貫通孔２ｇが形成されている。貫通孔２ｇは、前後方向で導光板２を貫通するように形成されるとともに、端面２ａ、２ｂに沿う方向において突起部２ｆの中心線上の位置に形成されている。また、端面２ａに沿うように形成される複数の貫通孔２ｇの中心は、端面２ａよりもわずかに上下方向の内側に配置され、端面２ｂに沿うように形成される複数の貫通孔２ｇの中心は、端面２ｂよりもわずかに左右方向の内側に配置されている。
【００５８】
貫通孔２ｇは、貫通孔２ｇが形成される部分の導光板２の強度を確保できる範囲において可能な限り上下方向あるいは左右方向の外側に形成されていることが好ましい。このように貫通孔２ｇを形成することにより、導光板２の中での光の拡散に影響を与えにくい位置にネジ２０を配置することが可能になる。すなわち、光射出面３ａの輝度斑が生じにくい位置にネジ２０を配置することが可能になる。具体的には、たとえば、貫通孔２ｇの内周面と端面２ａ、２ｂとが一致する位置に貫通孔２ｇを形成すれば、貫通孔２ｇが形成される部分の導光板２の強度を確保しつつ、導光板２の中での光の拡散に影響を与えにくい位置にネジ２０が配置することが可能になる。
【００５９】
なお、「導光板２の、突起部２ｆが形成されている部分」とは、導光板２の、突起部２ｆの近傍部分のことである。具体的には、突起部２ｆ自身、および、突起部２ｆの幅（長手方向）の範囲内における導光板２の内側となる部分である。したがって、突起部２ｆに貫通孔２ｇの少なくとも一部が形成されている場合には、貫通孔２ｇは、導光板２の、突起部２ｆが形成されている部分に形成されていることになる。また、貫通孔２ｇの一部が突起部２ｆの幅の範囲から外れていても、貫通孔２ｇの中心が突起部２ｆの幅の範囲内にある場合には、貫通孔２ｇは、導光板２の、突起部２ｆが形成されている部分に形成されていることになる。
【００６０】
光源保持部材８は、上述のように、基部８ａと、基部８ａの前端に繋がる第１延設部８ｂと、基部８ａの後端に繋がる第２延設部８ｃとを備えている。端面２ａに沿って配置される光源保持部材８では、第２延設部８ｃの上下方向の幅は一定となっており、第１延設部８ｂの上下方向の幅も一定となっている（図９参照）。また、端面２ｂに沿って配置される光源保持部材８では、第２延設部８ｃの左右方向の幅は一定となっており、第１延設部８ｂの左右方向の幅も一定となっている。すなわち、第１延設部８ｂおよび第２延設部８ｃは、細長い長方形状の平板状に形成されている。
【００６１】
また、図６等に示すように、端面２ａに沿って配置される光源保持部材８では、第２延設部８ｃの上下方向の幅は、第１延設部８ｂの上下方向の幅よりも広くなっており、端面２ｂに沿って配置される光源保持部材８では、第２延設部８ｃの左右方向の幅は、第１延設部８ｂの左右方向の幅よりも広くなっている。すなわち、基部８ａから導光板２に向かう方向における第２延設部８ｃの幅は、この方向における第１延設部８ｂの幅よりも広くなっている。また、この方向における第２延設部８ｃの幅は、ケース９の凹溝部９ｄよりも第２延設部８ｃが外周側に配置されるように設定されている。
【００６２】
第１延設部８ｂと第２延設部８ｃとの間には、上述のように、導光板２、反射シート４およびフレーム５が挟まれている。第１延設部８ｂは、基部８ａの前端に繋がっており、導光板２の光射出面２ｃ側に配置されている。また、第１延設部８ｂは、拡散板３の突出部３ｂと導光板２との間に配置されており、突出部３ｂの光入射面３ｃに接触している。図６に示すように、基部８ａから導光板２に向かう方向における第１延設部８ｂの幅は、この方向における突出部３ｂの幅よりも狭くなっている。
【００６３】
第１延設部８ｂは、光源６が射出する光を拡散板３に直接入射させない光遮蔽機能を果たしている。また、第１延設部８ｂは、光射出面２ｃの周縁部２ｄから拡散板３の突出部３ｂに入射する光を制限している。光入射面３ｃの、第１延設部８ｂに覆われた部分は、遮蔽領域３ｇとなっており、光入射面３ｃの、遮蔽領域３ｇよりも内側の部分は、入射領域３ｈとなっている。本形態では、光射出面３ａの全体の明るさが均一となるように、遮蔽領域３ｇの広さおよび入射領域３ｈの広さが設定されている。たとえば、入射領域３ｈの広さは、遮蔽領域３ｇの広さの０．５倍〜５倍の範囲に設定されている。ただし、入射領域３ｈの広さは、遮蔽領域３ｇの広さの１倍〜３倍の範囲に設定されていることが好ましい。なお、基部８ａから導光板２に向かう方向における第１延設部８ｂの幅は、端面２ａ、２ｂからの突起部２ｆの突出量と基板７の厚さとの和よりも広くなっている。すなわち、第１延設部８ｂの先端は、端面２ａ、２ｂよりも導光板２の中心側に配置されている。また、基部８ａから導光板２に向かう方向における第２延設部８ｃの幅は、この方向における突出部３ｂの幅よりも広くなっている。
【００６４】
光源保持部材８は、第１延設部８ｂと第２延設部８ｃとが互いに近づく方向の付勢力が作用するように弾性変形している。すなわち、光源保持部材８は、第１延設部８ｂと第２延設部８ｃとの間に挟まれる導光板２と反射シート４とフレーム５とが密着するように弾性変形した状態（第１延設部８ｂと第２延設部８ｃとの間に導光板２と反射シート４とフレーム５とが挟まれてないときよりも、第１延設部８ｂの先端と第２延設部８ｃの先端とが前後方向にわずかに開くように弾性変形した状態）で、導光板２およびフレーム５に取り付けられている。第１延設部８ｂは、導光板２に接触している。また、第１延設部８ｂは、導光板２に密着している。第２延設部８ｃは、フレーム５に接触している。すなわち、光源保持部材８は、フレーム５に接触している。具体的には、第２延設部８ｃの前面がフレーム５の後面に接触している。また、第２延設部８ｃは、フレーム５に密着している。上述のように、フレーム５は、熱伝導率の高い金属板によって形成されている。本形態のフレーム５は、導光板２と第２延設部８ｃとの間に配置される放熱部材である。
【００６５】
光源保持部材８には、光源保持部材８から基板７の回路接続部７ｂを引き出すための引出孔８ｅが形成されている。引出孔８ｅは、図１０に示すように、基部８ａと第２延設部８ｃとの境界部分に形成されている。この引出孔８ｅは、基部８ａの後端部および第２延設部８ｃの基端部を貫通するように形成されている。引出孔８ｅから引き出された回路接続部７ｂは、第２延設部８ｃとケース９の底面部９ａとの間、および、フレーム５と底面部９ａとの間で引き回されている。
【００６６】
回路接続部７ｂの先端側は、図１１に示すように、ケース９の内部（具体的には、中央部９ｅの内部）に収容される回路基板１４に電気的に接続されている。具体的には、回路接続部７ｂの先端側は、回路基板１４の前面に半田付けされて電気的に接続されており、回路接続部７ｂの先端側の半田付けされた部分は、封止用樹脂１５に覆われている。封止用樹脂１５の前端側部分は、フレーム５の枠部５ａと筋交い部５ｂとの間に形成される空間１６の中に配置されている。なお、回路接続部７ｂの先端側は、コネクタを介して回路基板１４に電気的に接続されても良い。
【００６７】
図１２に示すように、回路基板１４の前面には、光源６を制御するための電子回路１７が実装されている。電子回路１７は、枠部５ａの内周面を跨ぐように回路基板１４に実装されている。また、電子回路１７は、枠部５ａに密着している。そのため、電子回路１７で発生する熱は、フレーム５に伝達される。したがって、熱伝導率の高いフレーム５を利用して、電子回路１７で発生する熱を効率的に放散することが可能となっている。なお、回路基板１４は、図示を省略するケーブルによって外部の電源に接続されている。
【００６８】
また、光源保持部材８には、基板７の係合凸部７ｃが係合する係合孔８ｆが形成されている。係合孔８ｆは、第２延設部８ｃに形成されている。この係合孔８ｆは、第２延設部８ｃの基端部を貫通するように形成されている。また、第２延設部８ｃには、後述のネジ２０の軸部２０ａが挿通される複数の貫通孔８ｇが形成されている。貫通孔８ｇは、第２延設部８ｃを貫通するように形成されている。本形態では、導光板２の貫通孔２ｇと光源保持部材８の貫通孔８ｇとネジ２０とによって、導光板２に対する光源保持部材８の位置決めを行うための第１位置決め手段が構成されている。また、基板７の係合凸部７ｃと光源保持部材８の係合孔８ｆとによって光源保持部材８に対する光源６の位置決めを行うための第２位置決め手段が構成されている。
【００６９】
（導光板、拡散板、フレームおよび光源保持部材の固定構造）
図１３は、図３のＫ−Ｋ断面の断面図である。図１４は、図３のＮ−Ｎ断面の断面図である。
【００７０】
導光板２とフレーム５と光源保持部材８とは、ネジ２０（図３、図１３参照）によって拡散板３に固定されている。光源保持部材８は、ネジ２１（図３、図１４参照）によってフレーム５にも固定されている。ケース９は、ネジ２２（図３、図６参照）によってフレーム５に固定されている。
【００７１】
上述のように、導光板２には貫通孔２ｇが形成され、光源保持部材８には貫通孔８ｇが形成されている。図１３に示すように、貫通孔２ｇ、８ｇには、ネジ２０の軸部２０ａが挿通されている。また、フレーム５の枠部５ａにもネジ２０の軸部２０ａが挿通される貫通孔５ｃが形成されている。拡散板３の突出部３ｂには、軸部２０ａの先端側の外周面に形成されるオネジが係合するネジ孔３ｊが形成されている。ケース９の周縁部９ｃには、ネジ２０の頭部２０ｂが配置される貫通孔９ｇが形成されている。貫通孔９ｇの内径は、頭部２０ｂの外径よりも大きくなっている。
【００７２】
導光板２とフレーム５と光源保持部材８とは、第２延設部８ｃの後ろ側から貫通孔８ｇ、５ｃ、２ｇに挿通されてネジ孔３ｊに係合するネジ２０によって拡散板３の突出部３ｂに固定されている。貫通孔８ｇ、５ｃ、２ｇの内周面と軸部２０ａの外周面との間には、温度変動に伴って伸縮する導光板２と拡散板３とフレーム５と光源保持部材８との間の伸縮量の差を吸収できる程度の隙間が形成されている。軸部２０ａの先端（前端）は、拡散板３の光入射面３ｅよりも後ろ側に配置されている。なお、反射シート４にも軸部２０ａが挿通される貫通孔が形成されている。
【００７３】
図１４に示すように、第２延設部８ｃには、ネジ２１の軸部２１ａが挿通される貫通孔８ｈが形成され、フレーム５の枠部５ａには、軸部２１ａの外周面に形成されるオネジが係合するネジ孔５ｄが形成されている。ケース９の周縁部９ｃには、ネジ２１の頭部２１ｂが配置される貫通孔９ｈが形成されている。貫通孔９ｈの内径は、頭部２１ｂの外径よりも大きくなっている。光源保持部材８は、第２延設部８ｃの後ろ側から貫通孔８ｈに挿通されてネジ孔５ｄに係合するネジ２１によってフレーム５に固定されている。貫通孔８ｈの内周面と軸部２１ａの外周面との間には、温度変動に伴って伸縮するフレーム５と光源保持部材８との間の伸縮量の差を吸収できる程度の隙間が形成されている。なお、基板７の回路接続部７ｂが引き回される位置では、図１４に示すように、回路接続部７ｂもネジ２１によってフレーム５に固定されている。
【００７４】
図６に示すように、ケース９の凹溝部９ｄには、ネジ２２の軸部２２ａが挿通される貫通孔９ｊが形成され、フレーム５の枠部５ａには、軸部２２ａの外周面に形成されるオネジが係合するネジ孔５ｅが形成されている。ケース９は、凹溝部９ｄの後ろ側から貫通孔９ｊに挿通されてネジ孔５ｅに係合するネジ２２によってフレーム５に固定されている。貫通孔９ｊの内周面と軸部２２ａの外周面との間には、温度変動に伴って伸縮するフレーム５とケース９との間の伸縮量の差を吸収できる程度の隙間が形成されている。
【００７５】
本形態では、導光板２とフレーム５と光源保持部材８とがネジ２０によって拡散板３の突出部３ｂに固定されるとともに、光源保持部材８がネジ２１によってフレーム５に固定された後に、ケース９がネジ２２によってフレーム５に固定される。なお、ケース９の底面部９ａの厚さは、ネジ２０、２１の頭部２０ｂ、２１ｂの厚さよりも厚くなっており、図１３、図１４に示すように、頭部２０ｂ、２１ｂは、周縁部９ｃの後面よりも後ろ側へ突出していない。また、周縁部９ｃの後面に対する凹溝部９ｄの前側への窪み量は、ネジ２２の頭部２２ｂの厚さ以上となっており、図６に示すように、頭部２２ｂは、周縁部９ｃの後面よりも後ろ側へ突出していない。
【００７６】
（照明装置内の光の経路）
図１５は、図１に示す照明装置１において光源６から射出された光が拡散板３の光射出面３ａから射出されるまでの光の経路を説明するための図である。
【００７７】
光源６から射出された光の一部は、導光板２の端面２ａ、２ｂから導光板２の中に進入した後、たとえば、一点鎖線Ｌ１で示すように、導光板２の光射出面２ｃおよび反射シート４の反射面４ａで全反射しながら導光板２の中心側に向かって進むとともに、光散乱粒子によって散乱しながら進み、いずれは、光射出面２ｃから射出される。また、光源６から射出された光の他の一部は、光射出面２ｃで全反射されることなく、光散乱粒子によって散乱しながら進み、光射出面２ｃから射出される。導光板２の中の光が、光射出面２ｃおよび反射面４ａで全反射するとともに光散乱粒子によって散乱するため、光射出面２ｃの輝度は均一化された状態となっている。
【００７８】
導光板２の光射出面２ｃから射出された光の一部は、拡散板３の光入射面３ｃの入射領域３ｈに入射する。入射領域３ｈから入射した光の一部は、一点鎖線Ｌ２で示すように、突出部３ｂの内側面３ｆと拡散板３の外周面とで全反射しながら進むとともに、光散乱粒子によって散乱しながら進み、光射出面３ａの、主として突出部３ｂに対応する領域（すなわち、光射出面３ａの周縁部）から射出される。また、光入射面３ｅに入射した光の一部は、光散乱粒子によって散乱しながら進み、光射出面３ａから射出される。
【００７９】
（本形態の主な効果）
以上説明したように、本形態では、拡散板３の光入射面３ｃの、第１延設部８ｂに覆われた部分は、遮蔽領域３ｇとなっており、光源６から射出された光は拡散板３に直接入射しない。そのため、本形態では、拡散板３の光射出面３ａにおいて、光源６の部分が点光源のように見えるのを防止することが可能になる。また、光源６に近い光射出面３ａの周縁部の輝度は光射出面３ａの中心部分の輝度に比べて高くなりやすいが、本形態では、光入射面３ｃの、第１延設部８ｂに覆われた部分が遮蔽領域３ｇとなっているため、拡散板３の後面の周縁部（すなわち、突出部３ｂ）に入射する光の量を制限して、光射出面３ａの周縁部の輝度を抑えることが可能になる。一方で、光入射面３ｃが第１延設部８ｂに覆われているため、第１延設部８ｂの影響で、光射出面３ａの周縁部に縁取りされたような暗部が生じるおそれがあるが、本形態では、拡散板３に光散乱粒子が含有されており、拡散板３の中に入射した光は拡散板３の中で散乱するため、光射出面３ａの周縁部に縁取りされたような暗部が生じるのを防止することが可能になる。
【００８０】
また、光源６から射出される光は、光源６の近くでは明るく、遠くなるにしたがって暗くなるが、本形態では、導光板２の４個の端面２ａ、２ｂのそれぞれに臨むように光源６が配置されているため、全ての光源６から射出される光によって光射出面３ａの全体を明るくすることが可能になる。以上から、本形態では、光射出面３ａの輝度（光射出面３ａの全体の明るさ）を均一化することが可能になる。すなわち、本形態では、光射出面３ａの明るさを光射出面３ａの周縁部も含めて均斉化することが可能になる。また、本形態では、光散乱粒子によって散乱した光が光射出面３ａから射出されるため、光射出面３ａから射出された光の強さと色調（光の波長）は、光射出面３ａの正面のどの方向から見ても変わらない。
【００８１】
なお、拡散板３に入射する光の総量をＭとし、入射領域３ｈの面積をＳ１とし、光入射面３ｅの面積をＳ２とすると、光入射面３ｃに入射する光の量（すなわち、入射領域３ｈに入射する光の量）Ｍ１が、Ｍ×（Ｓ１／（Ｓ１＋Ｓ２））となっていれば、光射出面３ａの輝度をより均一化することが可能になる。また、人間の平均的な視覚は、光量が３割程度変化しても変化として認識し難いため、入射領域３ｈに入射する光の量が０．７×Ｍ×（Ｓ１／（Ｓ１＋Ｓ２））以上で１．３×Ｍ×（Ｓ１／（Ｓ１＋Ｓ２））以下となっていれば、照明装置１を見る者に、光射出面３ａの輝度が均一であるように見せることができる。また、突出部３ｂの大きさを調整すること、あるいは、第１延設部８ｂの幅を調整することで入射領域３ｈの広さを調整することが可能であり、入射領域３ｈの広さを調整することで、導光板２が射出する光の突出部３ｂへの入射量を調整できるため、光射出面３ａの明るさを容易に均斉化することが可能になる。
【００８２】
本形態では、光源保持部材８は、第１延設部８ｂと第２延設部８ｃとが互いに近づく方向の付勢力が作用するように弾性変形している。そのため、本形態では、ネジ２０、２１によって光源保持部材８が拡散板３やフレーム５に確実に固定される前であっても、第１延設部８ｂと第２延設部８ｃとの間に挟まれる導光板２、反射シート４およびフレーム５に対する光源保持部材８の位置ずれを防止することが可能になる。したがって、本形態では、光源保持部材８の取付作業を容易に行うことが可能になる。また、本形態では、第１延設部８ｂと第２延設部８ｃとが互いに近づく方向の付勢力が作用するように光源保持部材８が弾性変形しているため、ネジ２０、２１によって固定された後の光源保持部材８の位置ずれを効果的に防止することが可能になる。
【００８３】
本形態では、端面２ａに沿って配置される光源保持部材８では、第２延設部８ｃの上下方向の幅が第１延設部８ｂの上下方向の幅よりも広くなっており、端面２ｂに沿って配置される光源保持部材８では、第２延設部８ｃの左右方向の幅が第１延設部８ｂの左右方向の幅よりも広くなっている。そのため、本形態では、ネジ２０、２１によって光源保持部材８が拡散板３やフレーム５に確実に固定される前であっても、導光板２、反射シート４およびフレーム５に対する光源保持部材８の位置ずれを効果的に防止することが可能になるとともに、ネジ２０、２１によって固定された後の光源保持部材８の位置ずれをより効果的に防止することが可能になる。
【００８４】
本形態では、第２延設部８ｃの幅が広くなっている。そのため、本形態では、ネジ２０の軸部２０ａが挿通される貫通孔８ｇを比較的自由な位置に形成することが可能になる。また、本形態では、導光板２の端面２ａ、２ｂから基板７側に突出して基板７に当接する複数の突起部２ｆが導光板２に形成されており、導光板２の、突起部２ｆが形成されている部分に、ネジ２０の軸部２０ａが挿通される貫通孔２ｇが形成されている。そのため、本形態では、導光板２の端面２ａ、２ｂにより近い位置にネジ２０を配置することが可能になる。すなわち、本形態では、導光板２の中での光の拡散に影響を与えにくい位置にネジ２０を配置することが可能になるとともに、光射出面３ａの輝度斑が生じにくい位置（輝度分布に影響を与えにくい位置）にネジ２０を配置することが可能になる。また、本形態では、第２延設部８ｃの後ろ側から貫通孔８ｇ、５ｃ、２ｇに挿通されて突出部３ｂのネジ孔３ｊに係合するネジ２０によって、導光板２、フレーム５および光源保持部材８が突出部３ｂに固定されており、肉厚の突出部３ｂの後ろ側にネジ２０が配置されている。そのため、本形態では、光射出面３ａを見たときにネジ２０が目立たなくなる。
【００８５】
本形態では、導光板２の端面２ａ、２ｂから基板７側に突出して基板７に当接する複数の突起部２ｆが導光板２に形成されている。そのため、本形態では、基板７に実装される光源６と端面２ａ、２ｂとの間で、端面２ａ、２ｂからの突起部２ｆの突出量に応じた隙間を保つことが可能になる。したがって、本形態では、端面２ａ、２ｂと光源６との隙間を精度良く保つことが可能になる。その結果、本形態では、光源６が発する熱に起因する導光板２の熱変形を防止することが可能になる。また、複数の光源６のそれぞれと端面２ａ、２ｂとの距離のばらつきを抑制することが可能になり、その結果、光射出面３ａの輝度斑を抑制することが可能になる。
【００８６】
特に本形態では、１つの端面２ａ、２ｂに沿って配列される光源６の数は偶数個となっており、光源６の間に等間隔で突起部２ｆが配置されているため、複数の光源６のそれぞれと端面２ａ、２ｂとの隙間のばらつきを効果的に抑制することが可能になる。したがって、本形態では、光射出面３ａの輝度斑を効果的に抑制することが可能になる。なお、本形態では、導光板２の、突起部２ｆが形成されている部分に、ネジ２０の軸部２０ａが挿通される貫通孔２ｇが形成されているが、光源６の間に突起部２ｆが配置されており、光源６の間にネジ２０が配置されるため、また、上述のように、導光板２の端面２ａ、２ｂにより近い位置にネジ２０を配置することが可能になるため、光源６から射出される光がネジ２０によって遮られにくくなる。したがって、本形態では、ネジ２０に起因する光射出面３ａの輝度斑を抑制することが可能になる。
【００８７】
本形態では、突起部２ｆは、直線状に配列される光源６の間に配置されており、突起部２ｆの先端面は、基板７の、光源６の間の部分に当接している。そのため、本形態では、たとえば、前後方向において光源６と重なるように突起部２ｆが配置されている場合と比較して、前後方向で照明装置１を小型化（薄型化）することが可能になる。また、本形態では、光源保持部材８は、導光板２の端面２ａ、２ｂに対向するように配置される基部８ａを備えており、光源実装部７ａの、光源６の間の部分および端部７ｄが、基部８ａと突起部２ｆとの間に挟まれているため、基部８ａと突起部２ｆとによって基板７のふらつき（移動や揺れ）を防止することが可能になる。特に、本形態では、基板７が柔軟なフレキシブルプリント基板であるため、基板７がふらつきやすくなるが、基部８ａと突起部２ｆとによって基板７を挟むことで柔軟なフレキシブルプリント基板である基板７のふらつきを防止することが可能になる。また、本形態では、端面２ａに沿うように配置される２個の基板７の隣り合う端部７ｄに１個の突起部２ｆが当接しており、２個の基板７の端部が１個の突起部２ｆによって押えられている。そのため、本形態では、導光板２に形成される突起部２ｆの数を減らすことが可能になり、その結果、導光板２の構成を簡素化することが可能になる。
【００８８】
本形態では、基板７は、帯状の光源実装部７ａと、光源実装部７ａに直交するように光源実装部７ａに繋がる帯状の回路接続部７ｂとを備えており、光源保持部材８に、光源保持部材８から回路接続部７ｂを引き出すための引出孔８ｅが形成されている。そのため、本形態では、端面２ａに沿うように配置される光源実装部７ａの左端または右端や、端面２ｂに沿うように配置される光源実装部７ａの上端または下端に回路接続部７ｂが繋がっており、四角溝状に形成される光源保持部材８の長手方向の端部から回路接続部７ｂが引き出される場合と比較して、左右方向および上下方向において照明装置１を小型化することが可能になる。また、本形態では、光源保持部材８に形成される引出孔８ｅから回路接続部７ｂが引き出されているため、光源保持部材８に対して基板７を位置決めすることが可能になる。さらに、本形態では、光源実装部７ａに直交するように光源実装部７ａに繋がる回路接続部７ｂが引出孔８ｅから引き出されているため、端面２ａに沿うように２個の基板７が並んで配置されていても、基板７同士の重なりを防止することが可能になる。したがって、本形態では、２個の基板７が並ぶように配置されていても、基板７の引き回しが容易になる。
【００８９】
本形態では、光源保持部材８の基部８ａと第２延設部８ｃとの境界部分に引出孔８ｅが形成されている。そのため、本形態では、導光板２の光射出面２ｃを回路接続部７ｂが覆わないように、導光板２の後面側に向かって回路接続部７ｂを容易に引き回すことが可能になる。また、本形態では、引出孔８ｅが、基部８ａの後端部を貫通するように形成されているのに加えて、第２延設部８ｃの基端部も貫通するように形成されているため、基部８ａとケース９の側面部９ｂとの間で回路接続部７ｂを引き回さなくても、回路接続部７ｂをフレーム５の後面側に引き出すことが可能になる。したがって、本形態では、左右方向および上下方向において照明装置１を小型化することが可能になる。また、基部８ａと側面部９ｂとの間で回路接続部７ｂを引き回さなくても、回路接続部７ｂをフレーム５の後面側に引き出すことが可能になるため、側面部９ｂを光源６に近づけることが可能になる。したがって、拡散板３の外周面と側面部９ｂの外側面（すなわち、ケース９の外周面）とが同一面上に配置される場合には、拡散板３の外周面を光源６に近づけることが可能になり、その結果、拡散板３の光射出面３ａの周辺部の輝度の低下を防止することが可能になる。
【００９０】
本形態では、回路接続部７ｂが光源実装部７ａの中央部分に繋がっている。そのため、本形態では、光源保持部材８に光源実装部７ａをバランス良く保持させることが可能になる。また、本形態では、後ろ側に突出する係合凸部７ｃが光源実装部７ａに形成され、係合凸部７ｃが係合する係合孔８ｆが光源保持部材８に形成されている。そのため、本形態では、光源保持部材８に対して基板７をより確実に位置決めすることが可能になるとともに、照明装置１の組立時において、光源保持部材８に対する基板７のふらつきを抑制することが可能になる。
【００９１】
本形態では、光源保持部材８の表面の色は銀色となっている。そのため、光源６が射出する光の色が白色でも、光源保持部材８の表面の色に起因する光射出面３ａでの光の変色を抑制しやすくなる。また、本形態では、光源保持部材８はアルミニウム合金によって形成されており、光源保持部材８の表面を銀色に着色等する必要がない。したがって、本形態では、光源保持部材８の製造コストを低減することが可能になる。また、本形態では、光源保持部材８がアルミニウム合金によって形成されているため、光源保持部材８を軽量化することが可能になる。また、アルミニウム合金の熱伝導率は高いため、本形態では、光源６を保持する光源保持部材８から光源６で発生する熱を効率的に放散することが可能となるとともに、光源６で発生する熱をフレーム５に効率的に伝達することが可能になる。
【００９２】
本形態では、反射シート４の後ろ側に補強用のフレーム５が配置されている。そのため、本形態では、光射出面３ａの面積が広くなっても、照明装置１の剛性を確保することが可能になる。したがって、たとえば、照明装置１の右端側に対する照明装置１の左端側の撓み量を抑制することが可能になり、その結果、照明装置１の撓みに起因する光射出面３ａの輝度斑を抑制することが可能になる。
【００９３】
また、本形態では、フレーム５は、長方形の枠状に形成される平板状の枠部５ａと、Ｘ形状に形成され枠部５ａの対角同士を繋ぐ平板状の筋交い部５ｂとから構成されているため、フレーム５が長方形の平板状に形成されている場合と比較して、照明装置１を軽量化することが可能になる。また、本願発明者の検討によれば、前後方向から見たときのフレーム５の面積が一定である場合、長方形の枠状に形成される枠部５ａと枠部５ａの対角同士を繋ぐ筋交い部５ｂとによってフレーム５が構成されていると、フレーム５の剛性を効果的に高めることが可能になり、照明装置１の撓みを効果的に抑制することが可能になる。したがって、本形態では、照明装置１の撓みに起因する光射出面３ａの輝度斑を効果的に抑制することが可能になる。
【００９４】
本形態では、光源保持部材８の第２延設部８ｃの前面が、熱伝導率の高い金属板で形成されるフレーム５の後面に接触している。そのため、本形態では、光源６で発生する熱を、第２延設部８ｃを介してフレーム５に伝達することが可能になる。また、本形態では、図６等に示すように、フレーム５の後面は、ケース９の凹溝部９ｄの前面に接触しているため、フレーム５に伝達された熱をケース９に伝達することが可能になる。したがって、本形態では、光源６で発生する熱を効率的に放散することが可能になる。また、本形態では、ケース９に凹溝部９ｄが形成されているため、ケース９の剛性を高めることが可能になる。本形態の凹溝部９ｄは、光源６で発生する熱を効率的に放散する機能とケース９の剛性を高める機能とを兼ね備えている。
【００９５】
また、本形態では、導光板２の４個の端面２ａ、２ｂのそれぞれに臨むように複数の光源６が配置されているため、光源保持部材８を介してフレーム５に伝達される光源６の熱は、枠部５ａの対角部分に集中しやすくなるが、本形態では、枠部５ａの対角同士を繋ぐ筋交い部５ｂがフレーム５に形成されているため、筋交い部５ｂを利用して、枠部５ａの対角部分に集中する熱を効率的に放散することが可能になる。また、筋交い部５ｂは、枠部５ａよりも光源６から離れた位置に配置されているため、枠部５ａよりも温度が低くなっており、フレーム５の内部で熱勾配が生じる。したがって、本形態では、フレーム５への熱伝導が促進されて、光源６の熱をより効率的に放散することが可能になる。
【００９６】
（拡散板の変形例１）
図１６は、本発明の他の実施の形態にかかる突出部３ｂの構成を説明するための図である。図１６では、突出部３ｂの一部分およびその周辺部分を後ろ側から示している。
【００９７】
上述した形態において、突出部３ｂの内側面３ｆは、前後方向から見たときの形状が波型の凹凸状となるように形成されても良い。内側面３ｆの凹凸は、基板実装部７ａの長手方向（すなわち、複数の光源６の配列方向）に沿うように形成されている。この場合には、入射領域３ｈに入射した光は、図１６の矢印で示すように内側面３ｆで拡散されて突出部３ｂの中に反射されやすくなる。そのため、光射出面３ａの周縁部をより明るくして、光反射面３ａの周縁部が縁取りされたように暗くなるのを効果的に抑制することが可能になる。したがって、光射出面３ａの全体の明るさをより一層均斉化することが可能になる。なお、図１６では、説明の便宜上、内側面３ｆの凹凸を誇張して図示している。また、光源６の配列ピッチに対する内側面３ｆの凹凸のピッチおよび凹凸の深さ（または高さ）は、任意に設定することが可能である。
【００９８】
（拡散板の変形例２）
図１７は、本発明の他の実施の形態にかかる突出部３ｂの構成を説明するための図である。図１７（Ａ）では、突出部３ｂの一部分およびその周辺部分を後ろ側から示し、図１７（Ｂ）では、突出部３ｂの一部分およびその周辺部分を左右方向の一方側（または上下方向の一方側）から示している。
【００９９】
上述した形態において、突出部３ｂの光入射面３ｃにＶ形状の複数の溝３ｋが形成されても良い。溝３ｋは、拡散板３の外周面と内側面３ｆとの間で光入射面３ｃを横断するように光入射面３ｃに形成されている。溝３ｋは、光のプリズム効果を有しており、入射領域３ｈから入射する光の一部は、図１７（Ｂ）の矢印で示すように溝３ｋの斜面で拡散されて突出部３ｂの中に入射する。そのため、この場合には、光射出面３ａの周縁部をより明るくして、光反射面３ａの周縁部が縁取りされたように暗くなるのを効果的に抑制することが可能になる。したがって、光射出面３ａの全体の明るさをより一層均斉化することが可能になる。
【０１００】
なお、突出部３ｂの内側面３ｆに図１６に示す凹凸が形成されるとともに、突出部３ｂの光入射面３ｃに図１７に示す溝３ｋが形成されても良い。また、図１７では、便宜上、溝３ｋを誇張して図示している。また、溝３ｋは、光のプリズム効果を有していれば良く、光源６に対する溝３ｋの相対位置、溝３ｋの深さおよび溝３ｋのピッチは任意に設定することが可能である。さらに、溝３ｋとして、いわゆるプリズムシートを用いても良い。また、溝３ｋは、入射領域３ｈのみに形成されても良い。また、溝３ｋは、内側面３ｆに沿うように（すなわち、基板実装部７ａの長手方向）に形成されても良い。
【０１０１】
（導光板の変形例１）
図１８は、本発明の他の実施の形態にかかる導光板２の構成を説明するための図である。図１８では、導光板２の光射出面２ｃの周縁部２ｄの一部分およびその周辺部分を前側から示している。
【０１０２】
上述した形態において、光射出面２ｃの周縁部２ｄに、拡散面２ｊが形成されても良い。拡散面２ｊは、周縁部２ｄの所定の位置に粗面化処理を施すことで形成されており、たとえば、ドット状の微細な凹凸面となっている。図１８に示すように、拡散面２ｊは、隣り合う光源６の間に配置されている。前後方向から見たときの拡散面２ｊの形状は、端面２ａ、２ｂ側を底辺とする三角形となっている。
【０１０３】
拡散面２ｊが形成されていない導光板２では、光源６の光の射出方向の近傍が明るく、光の射出方向からずれた周辺部分（たとえば、隣り合う光源６の間の領域）が暗くなるが、暗くなる周辺部分に拡散面２ｊを形成すれば、この周辺部分で光が拡散されてこの周辺部分も明るくなる。そのため、周縁部２ｄの輝度斑を抑制することが可能になるとともに、突出部３ｂが設けられていることとの相乗効果によって、光射出面３ａの周縁部が縁取りされたように暗くならず、周縁部を含めた光射出面３ａの全体の明るさをより均斉化することが可能になる。
【０１０４】
なお、前後方向から見たときの拡散面２ｊの形状は、端面２ａ、２ｂ側を底辺とする三角形以外の形状であっても良い。ただし、光源６から射出される光は、光源６から離れるにしたがって暗くなっていき、ある位置まで離れると周囲との明るさの差は少なくなる。したがって、光射出面３ａの全体の明るさをより均斉化するためには、光源６から離れていくにしたがって、前後方向から見たときの拡散面２ｊの面積を徐々に小さくしていくことが好ましい。
【０１０５】
（導光板の変形例２）
図１９は、本発明の他の実施の形態にかかる導光板２の構成を説明するための図である。図１９では、導光板２の光射出面２ｃの周縁部２ｄの一部分およびその周辺部分を前側から示している。
【０１０６】
図１８に示す変形例では、拡散面２ｊは、周縁部２ｄの所定の位置に粗面化処理を施すことで形成された微細な凹凸面であるが、拡散面２ｊは、微細な複数のレンズ形状の凸部２ｈによって構成されても良い。この変形例では、図１９に示すドットの１つ１つが凸レンズ形状の微細な凸部２ｈとなっている。拡散面２ｊにおいて、凸部２ｈの集合体は、隣り合う光源６同士の中間位置に近づくにしたがって、また、端面２ａ、２ｂに近づくにしたがって密になるように配置されている。すなわち、凸部２ｈの集合体は、隣り合う光源６同士の中間位置から遠ざかるにしたがって、また、端面２ａ、２ｂから遠ざかるにしたがって粗となるように配置されている。
【０１０７】
この変形例においても、光源６の間の暗くなりやすい部分で光が拡散されてこの部分も明るくなる。そのため、周縁部２ｄの輝度斑を抑制することが可能になるとともに、突出部３ｂが設けられていることとの相乗効果によって、光射出面３ａの周縁部が縁取りされたように暗くならず、周縁部を含めた光射出面３ａの全体の明るさをより均斉化することが可能になる。なお、図１９に示すように、導光板２の光射出面２ｃの中央部（拡散面２ｊが形成されていない部分）に凸部２ｈを点在させても良い。この場合には、照明装置１の色斑を抑制することが可能になる。また、隣接する光源６の間に配置される凸部２ｈの数は、１個であっても良い。また、拡散面２ｊは、微細な複数のレンズ形状の凹部によって構成されても良いし、微細な複数の円錐台状の凹凸によって構成されても良い。また、拡散面２ｊは、Ｖ形状の複数の溝によって構成されても良い。この場合には、拡散面２ｊは、プリズム効果を有する。また、この場合には、複数の溝は、たとえば、端面２ａ、２ｂの、隣り合う光源６同士の中間位置から拡散板２の内側に向かって放射状に広がるように形成される。
【０１０８】
（導光板のその他の変形例）
上述した形態では、導光板２の貫通孔２ｇは、導光板２の、突起部２ｆが形成されている部分に形成されているが、貫通孔２ｇは、導光板２の、突起部２ｆが形成されている部分からずれた位置に形成されても良い。また、上述した形態では、端面２ａに沿うように配置される２個の基板７の隣り合う端部７ｄに１個の突起部２ｆが当接しているが、端面２ａに沿うように配置される２個の基板７の隣り合う端部７ｄのそれぞれに１個の突起部２ｆが当接するように、導光板２に突起部２ｆが形成されても良い。さらに、上述した形態では、突起部２ｆの先端面は、光源実装部７ａの、光源６の間の部分に当接しているが、突起部２ｆの先端面は、光源実装部７ａの、前後方向における光源６の実装位置からずれた部分（すなわち、光源６の実装位置の前側部分または後ろ側部分）に当接しても良い。
【０１０９】
また、上述した形態では、突起部２ｆの先端面は、基板７に当接しているが、突起部２ｆの先端面は、光源保持部材８に当接しても良い。具体的には、突起部２ｆの先端面は、基部８ａに当接しても良い。基板７は、光源保持部材８に位置決めされた状態で保持されており、光源６は、基板７を介して光源保持部材８に保持されているため、この場合であっても、上述した形態と同様に、基板７に実装される光源６と端面２ａ、２ｂとの間で、端面２ａ、２ｂからの突起部２ｆの突出量に応じた隙間を保つことが可能になる。したがって、端面２ａ、２ｂと光源６との隙間を精度良く保つことが可能になる。なお、この場合には、基板７は、両面テープや接着剤等によって光源保持部材８の基部８ａに確実に固定されていることが好ましい。
【０１１０】
（導光板および拡散板の変形例）
上述した形態において、図１６に示す拡散板３と図１８に示す導光板２とが組み合わされて使用されても良いし、図１６に示す拡散板３と図１９に示す導光板２とが組み合わされて使用されても良い。また、上述した形態において、図１７に示す拡散板３と図１８に示す導光板２とが組み合わされて使用されても良いし、図１７に示す拡散板３と図１９に示す導光板２とが組み合わされて使用されても良い。さらに、上述した形態において、突出部３ｂの内側面３ｆに図１６に示す凹凸が形成されるとともに突出部３ｂの光入射面３ｃに図１７に示す溝３ｋが形成された拡散板３と図１８に示す導光板２とが組み合わされて使用されても良いし、突出部３ｂの内側面３ｆに図１６に示す凹凸が形成されるとともに突出部３ｂの光入射面３ｃに図１７に示す溝３ｋが形成された拡散板３と図１９に示す導光板２とが組み合わされて使用されても良い。これらの場合には、周縁部を含めた光射出面３ａの全体の明るさをより均斉化することが可能になる。
【０１１１】
（フレームの変形例）
図２０は、本発明の他の実施の形態にかかるフレーム５の正面図である。上述した形態では、フレーム５は、長方形の枠状に形成される枠部５ａと、Ｘ形状に形成され枠部５ａの対角同士を繋ぐ筋交い部５ｂとから構成されている。この他にもたとえば、図２０（Ａ）に示すように、互いに平行な２個の長辺部５ｇと互いに平行な２個の短辺部５ｈとによって枠部５ａが形成されているとした場合に、フレーム５は、枠部５ａと、十字形状に形成され長辺部５ｇの中心同士を繋ぐとともに短辺部５ｈの中心同士を繋ぐ連結部５ｊとから構成されても良い。
【０１１２】
また、フレーム５は、図２０（Ｂ）に示すように、枠部５ａと、直線状に形成され短辺部５ｈの中心同士を繋ぐ連結部５ｋとから構成されても良いし、図２０（Ｃ）に示すように、枠部５ａと、直線状に形成され長辺部５ｇの中心同士を繋ぐ連結部５ｎとから構成されても良い。さらに、フレーム５は、図２０（Ｄ）に示すように、枠部５ａと、格子状に形成され長辺部５ｇ同士を繋ぐとともに短辺部５ｈ同士を繋ぐ連結部５ｐとから構成されても良い。また、フレーム５は、連結部５ｊ、連結部５ｋ、連結部５ｎまたは連結部５ｐのいずれか１つと、枠部５ａと、筋交い部５ｂとから構成されても良い。また、フレーム５は、枠部５ａのみによって構成されても良いし、長方形の平板状に形成されても良い。なお、照明装置１の剛性を確保することができるのであれば、照明装置１は、フレーム５を備えていなくても良い。
【０１１３】
また、上述した形態では、フレーム５は、アルミニウム合金によって形成されているが、フレーム５は、アルミニウム合金以外の熱伝導率の高い金属板によって形成されても良い。なお、フレーム５は、金属板以外の熱伝導率の低い材料で形成されても良い。
【０１１４】
（基板の変形例）
上述した形態では、回路接続部７ｂは、光源実装部７ａの中心に繋がっているが、回路接続部７ｂは、光源実装部７ａの中心からずれた位置に繋がっていても良い。また、上述した形態では、光源実装部７ａに係合凸部７ｃが形成されているが、光源実装部７ａに係合凸部７ｃが形成されていなくても良い。この場合には、光源保持部材８に係合孔８ｆを形成する必要がなくなる。さらに、上述した形態では、回路接続部７ｂは、光源実装部７ａに直交するように光源実装部７ａに繋がっているが、回路接続部７ｂは、帯状に形成される光源実装部７ａの一端または他端に繋がっていても良い。この場合には、四角溝状に形成される光源保持部材８の長手方向の端部から回路接続部７ｂが引き出される。また、この場合には、光源保持部材８に引出孔８ｅを形成する必要がなくなる。また、上述した形態では、基板７は、フレキブルプリント基板であるが、基板７は、ガラスエポキシ基板等のリジッド基板であっても良い。この場合には、たとえば、フレキブルプリント基板やリード線等を介して、基板７と回路基板１４とが電気的に接続される。
【０１１５】
上述した形態では、回路接続部７ｂは、光源実装部７ａに直交するように光源実装部７ａに繋がっているが、回路接続部７ｂは、光源実装部７ａの長手方向に直交する方向および光源実装部７ａの長手方向に対して傾斜するように光源実装部７ａに繋がっていても良い。すなわち、回路接続部７ｂは、光源実装部７ａに交差するように光源実装部７ａに繋がっていれば良い。回路接続部７ｂが光源実装部７ａに交差するように光源実装部７ａに繋がっていれば、上述した形態と同様の効果を得ることができる。すなわち、この場合には、端面２ａに沿うように配置される光源実装部７ａの左端または右端や、端面２ｂに沿うように配置される光源実装部７ａの上端または下端に回路接続部７ｂが繋がり、四角溝状に形成される光源保持部材８の長手方向の端部から回路接続部７ｂが引き出される場合と比較して、左右方向および上下方向において照明装置１を小型化することが可能になる。また、この場合でも、光源保持部材８に形成される引出孔８ｅから回路接続部７ｂを引き出すことが可能になるため、光源保持部材８に対して基板７を位置決めすることが可能になる。さらに、この場合には、光源実装部７ａに交差するように光源実装部７ａに繋がる回路接続部７ｂが引出孔８ｅから引き出されているため、端面２ａに沿うように２個の基板７が並んで配置されていても、基板７同士の重なりを防止することが可能になる。
【０１１６】
（光源保持部材の変形例１）
図２１は、本発明の他の実施の形態にかかる光源保持部材８の構成を説明するための図である。上述した形態では、光源保持部材８の第１延設部８ｂは、第１延設部８ｂの全長に亘って幅が一定の細長い長方形状に形成されている。この他にもたとえば、図２１に示すように、第１延設部８ｂの先端から基部８ａ側に向かって窪む複数の凹部８ｊが第１延設部８ｂに形成されても良い。複数の凹部８ｊは、基板７の光源実装部７ａの長手方向に沿って一定の間隔で形成されている。凹部８ｊ間に形成される凸部８ｋは、光源６の前側を覆っており、凹部８ｊは、隣り合う光源６の間で開口している。光源６から射出される光は、突出部３ｂに直接入射しないように凸部８ｋに遮蔽されるとともに、凸部８ｋを廻り込んで凹部８ｊから突出部３ｂに入射する。
【０１１７】
この変形例では、第１延設部８ｂが細長い長方形状に形成されている場合と比較して、光源６の間において、光源６に近い位置で突出部３ｂに入射する光の明るさと、光源６から離れた位置で突出部３ｂに入射する光の明るさとの差を小さくすることが可能になる。したがって、光射出面３ａの全面の明るさをより均斉化することが可能になる。なお、光源６の間において突出部３ｂに入射する光の明るさの差を小さくすることができるのであれば、凸部８ｋの形状は、先端が細くなる台形状や三角形であっても良いし、凸部８ｋの先端部が円形状となっていても良い。
【０１１８】
（光源保持部材の変形例２）
図２２、図２３は、本発明の他の実施の形態にかかる光源保持部材８の構成を説明するための図である。上述した形態では、光源保持部材８の第２延設部８ｃは、第２延設部８ｃの全長に亘って幅が一定の細長い長方形状に形成されている。この他にもたとえば、図２２に示すように、第２延設部８ｃの先端から基部８ａ側に向かって窪む複数の凹部８ｎが第２延設部８ｃに形成されても良い。複数の凹部８ｎは、基板７の光源実装部７ａの長手方向に沿って一定の間隔で形成されている。また、凹部８ｎは、光源実装部７ａの長手方向において、隣接する貫通孔８ｇと貫通孔８ｇとの間、および、隣接する貫通孔８ｇと貫通孔８ｆとの間に形成されており、凹部８ｎの間に形成される凸部８ｐに貫通孔８ｇまたは貫通孔８ｆが形成されている。この変形例では、図２２に示すように、第２延設部８ｃの、凸部８ｐが形成された部分の幅は、第１延設部８ｂの幅よりも広くなっている。すなわち、第２延設部８ｃの一部の幅が第１延設部８ｂの幅よりも広くなっている。なお、上述した形態では、第２延設部８ｃの幅は、第１延設部８ｂの幅よりも広くなっているが、第２延設部８ｃの幅は、第１延設部８ｂの幅以下となっていても良い。
【０１１９】
また、上述した形態では、光源保持部材８から基板７の回路接続部７ｂを引き出すための引出孔８ｅが基部８ａと第２延設部８ｃとの境界部分に形成されているが、引出孔８ｅは、基部８ａのみに形成されても良いし、第２延設部８ｃのみに形成されても良い。すなわち、引出孔８ｅは、第２延設部８ｃを貫通しないように形成されても良いし、係合孔８ｆと同様に基部８ａを貫通しないように形成されても良い。ただし、基部８ａと第２延設部８ｃとの境界部分で基部８ａおよび第２延設部８ｃを貫通するように引出孔８ｅが形成されていた方が、引出孔８ｅに回路接続部７ｂを通しやすくなり、照明装置１の組立作業が容易となる。
【０１２０】
また、上述した形態では、光源保持部材８に引出孔８ｅが形成されているが、図２３に示すように、光源保持部材８から回路接続部７ｂを引き出すための切欠き部８ｒが光源保持部材８に形成されていても良い。この場合には、切欠き部８ｒは、第２延設部８ｃの先端から基部８ａ側に向かって切り欠かれるように形成されている。ただし、光源保持部材８の剛性を考慮すると、上述した形態のように光源保持部材８に引出孔８ｅが形成されている方が好ましい。また、上述した形態では、係合孔８ｆは、第２延設部８ｃの基端部を貫通するように形成されているが、係合孔８ｆは、引出孔８ｅと同様に基部８ａの後端部および第２延設部８ｃの基端部を貫通するように形成されても良い。ただし、上述した形態のように、基部８ａの後端部に貫通しないように係合孔８ｆが形成されている場合には、基部８ａの後端部に貫通するように係合孔８ｆが形成されている場合と比較して、係合凸部７ｃを確実に位置決めすることが可能になる。
【０１２１】
上述した形態では、光源保持部材８はアルミニウム合金によって形成されており、光源保持部材８の表面の色は銀色となっているが、光源保持部材８の表面の色が銀色となるように光源保持部材８の表面にメッキ処理を行ったり、光源保持部材８の表面を着色したりしても良い。また、上述した形態では、光源保持部材８はアルミニウム合金によって形成されているが、光源保持部材８はステンレス鋼によって形成されても良い。この場合にも、光源保持部材８の表面を銀色に着色等する必要がない。また、光源保持部材８の表面の色は、銀色以外の色であっても良い。たとえば、光源保持部材８が銅合金で形成され、光源保持部材８の表面の色が銅色となっていても良い。ただし、光源６が射出する光の色が白色である場合に光源保持部材８の表面の色が銅色となっていると、光源保持部材８の表面の色に起因して光射出面３ａの光の色が黄色っぽく変色するおそれがある。なお、光源保持部材８が銅合金で形成されていれば、光源６の放熱およびフレーム５への熱伝導性を高めることが可能になる。
【０１２２】
（光源の配置位置の変形例１）
図２４（Ａ）は、本発明の他の実施の形態にかかる照明装置１の光射出面３ａの明るさの分布を説明するためのグラフであり、図２４（Ｂ）は、本発明の他の実施の形態にかかる照明装置１を２枚組み合わせて使用したときの光射出面３ａの明るさの分布を説明するためのグラフである。
【０１２３】
上述した形態では、光源６は、導光板２の４個の端面２ａ、２ｂに臨むように配置されているが、光源６は、２個の端面２ｂのみに臨むように配置されても良い。この場合、光源６が配置されていない端面２ａから光が漏れてしまうため、端面２ａに近い光射出面３ａの周縁部の明るさは、光射出面３ａの中央部の明るさよりも暗くなる。すなわち、照明装置１の単体の光射出面３ａの明るさの分布は、図２４（Ａ）に示すようになる。なお、図２４（Ａ）のグラフの両端が端面２ａに近い光射出面３ａの周縁部の明るさを示している。また、図２４（Ａ）の二点鎖線は、端面２ａからの光の漏れを模式的に示している。
【０１２４】
これに対して、図２（Ａ）に示すように、端面２ａ同士が隣接するように２枚の照明装置１を組み合わせると、図２４（Ｂ）の矢印で示すように、隣接する２個の端面２ａのうちの一方の端面２ａから漏れた光は他方の端面２ａに入射し、他方の端面２ａから漏れた光は一方の端面２ａに入射する。そのため、光源６が端面２ｂのみに臨むように配置されている場合であっても、端面２ａ同士が隣接するように２枚の照明装置１を組み合わせれば、２枚の照明装置１の繋ぎ目においても光射出面３ａの明るさが低下せずに、光射出面３ａの明るさを均斉化することが可能になる。
【０１２５】
なお、上述のように、拡散板３に入射する光の総量をＭとし、入射領域３ｈの面積をＳ１とし、光入射面３ｅの面積をＳ２とすると、光入射面３ｃに入射する光の量（すなわち、入射領域３ｈに入射する光の量）Ｍ１が、Ｍ×（Ｓ１／（Ｓ１＋Ｓ２））となっていれば、光射出面３ａの輝度をより均一化することが可能になるが、光源６が２個の端面２ｂのみに臨むように配置され、かつ、端面２ａ同士が隣接するように２枚の照明装置１が組み合わされている場合には、隣接する照明装置１の一方から漏れる光が他方の照明装置１に入射するため、光射出面３ａの周縁部の光量の変化は６割程度まで許容できる。そのため、入射領域３ｈに入射する光の量が０．４×Ｍ×（Ｓ１／（Ｓ１＋Ｓ２））以上１．６×Ｍ×（Ｓ１／（Ｓ１＋Ｓ２））以下となっていれば、照明装置１を見る者に、光射出面３ａの輝度が均一であるように見せることができる。
【０１２６】
また、光源６は、２個の端面２ａのみに臨むように配置されても良い。また、光源６は、１個の端面２ａのみに臨むように配置されても良いし、１個の端面２ｂのみに配置されても良い。さらに、光源６は、４個の端面２ａ、２ｂの中から任意に選択される３個の端面２ａ、２ｂのみに臨むように配置されても良い。これらの場合には、光源６が臨んでいない端面２ａ、２ｂに臨むように反射板が配置されても良い。この反射板は、たとえば、アルミ板であり、端面２ａ、２ｂに貼り付けられる。なお、反射板に代えて、反射性を有する塗料が端面２ａ、２ｂに塗布されても良い。
【０１２７】
光源６が配置されていない端面２ａ、２ｂに臨むように反射板が配置される場合には、導光板２の中を進んだ光の一部は、反射板で導光板２の中に向かって反射される。この場合であっても、上述した形態とほぼ同様の効果を得ることが可能である。また、この場合には、照明装置１の構成を簡素化することが可能になる。また、この場合には、反射板で反射される光は、導光板２の中で散乱して明るさが均一化されているため、反射板が配置される端面２ａ、２ｂにおいては、光源６が射出する光を拡散板３に直接入射させない第１延設部８ｂが不要となる。
【０１２８】
なお、たとえば、２個の端面２ｂのうちの一方の端面２ｂのみに臨むように光源６が配置され、他方の端面２ｂに臨むように反射板が配置される場合には、一方の端面２ｂに入射する光の量に対する一方の端面２ｂに戻ってくる光の量の割合と、光射出面２ｃの面積に対する隣り合う光源６の間の暗い領域の面積の割合とが等しくなるように、反射板の反射率および導光板２に含有される光散乱部材の濃度を設定すると、一方の端面２ｂ側の明るさと他方の端面２ｂ側の明るさとの差を縮小することが可能になる。具体的には、たとえば、一方の端面２ｂに入射し導光板２の中を進んで他方の端面２ｂに到達するときの光の量を一方の端面２ｂへの入射時の光の量の４０％以下１５％以上とし、反射板で反射されて一方の端面２ｂに到達する光の量を一方の端面２ｂへの入射時の光の量の１５％以下０．４％以上とすることで、一方の端面２ｂ側の明るさと他方の端面２ｂ側の明るさとの差の縮小することが可能になる。
【０１２９】
また、光源６が臨まない端面２ａ、２ｂがある場合、拡散板３には、導光板２の光射出面２ｃの周縁部２ｄの、光源６が臨む端面２ａ、２ｂに沿った部分に対向する位置にのみ突出部３ｂが形成されていても良い。たとえば、光源６が２個の端面２ｂのみに臨むように配置される場合には、拡散板３には、周縁部２ｄの、端面２ｂに沿った部分（すなわち、周縁部２ｄの左右の両側部分）に対向する位置にのみ突出部３ｂが形成されていても良い。すなわち、光源６が２個の端面２ｂのみに臨むように配置される場合には、拡散板３の左右の両端側のみに突出部３ｂが形成されていても良い。
【０１３０】
（光源の配置位置の変形例２）
図２５は、本発明の他の実施の形態にかかる光源６の配置位置を説明するための図である。上述した形態において、２個の端面２ａのうちの一方の端面２ａに臨むように配置される光源６の位置と、他方の端面２ａに臨むように配置される光源６の位置とが左右方向においてずれていても良い。たとえば、左右方向において、２個の端面２ａのうちの一方の端面２ａに臨むように配置される光源６の間に、他方の端面２ａに臨むように配置される光源６が配置されても良い。同様に、２個の端面２ｂのうちの一方の端面２ｂに臨むように配置される光源６の位置と、他方の端面２ｂに臨むように配置される光源６の位置とが左右方向においてずれていても良い。
【０１３１】
この場合には、複数枚の照明装置１を組み合わせたときに、図２５に示すように、隣り合う２枚の照明装置１のうちの一方の照明装置１の複数の光源６の位置と、他方の照明装置１の複数の光源６の位置とをずらすことが可能になる。したがって、一方の照明装置１の光源６の間の明るさの低下を、他方の照明装置１の光源６によって補完することが可能になり、他方の照明装置１の光源６の間の明るさの低下を、一方の照明装置１の光源６によって補完することが可能になる。
【０１３２】
（照明装置の全体構成の変形例１）
上述した形態において、導光板２の前後の両側に拡散板３が配置されても良い。この場合には、導光板２の後ろ側に反射シート４およびフレーム５は配置されず、第１延設部８ｂと第２延設部８ｃとの間に導光板２が挟まれている。また、この場合には、第１延設部８ｂに加えて、第２延設部８ｃも、光源６が射出する光を拡散板３に直接入射させない光遮蔽機能を果たす。
【０１３３】
（照明装置の全体構成の変形例２）
上述した形態において、照明装置１は、光源保持部材８に接触するとともにフレーム５およびケース９の底面部９ａに接触する高熱伝導性シートを備えていても良い。この場合には、高熱伝導性シートは、フレーム５の後面に接触するように配置されている。また、高熱伝導性シートの周縁部は、たとえば、基板７の光源実装部７ａと光源保持部材８の基部８ａとの間、第２延設部８ｃとフレーム５の枠部５ａとの間、および、ケース９の凹溝部９ｄと枠部５ａとの間に挟まれた状態で配置されている。また、高熱伝導性シートの周縁部は、ネジ２０、２１の締結力によって第２延設部８ｃおよび枠部５ａと密着するとともに、ネジ２２の締結力によって凹溝部９ｄおよび枠部５ａと密着している。
【０１３４】
また、この場合には、高熱伝導性シートの後ろ側に、高熱伝導性シートの後面に接触するように補強プレートが配置されている。この補強プレートは、熱伝導率の高いアルミニウム合金によって形成されている。また、補強プレートは、ネジによってフレーム５に固定されており、ケース９の内部（具体的には、中央部９ｅの内部）に収容されている。補強プレートの、ネジによってフレーム５に固定された部分は、高熱伝導性シートの後面に密着している。
【０１３５】
この変形例では、光源６で発生して基板７および光源保持部材８に伝達された熱を高熱伝導性シートによってフレーム５、底面部９ａおよび補強プレートに効率良く伝達することが可能になる。そのため、光源６で発生する熱をより効率的に放散することが可能になる。また、この変形例では、ケース９の側面部９ｂの厚さを薄くしても、光源６で発生する熱をより効率的に放散することが可能になる。また、側面部９ｂの前後方向の幅を狭くしても、光源６で発生する熱をより効率的に放散することが可能になるため、照明装置１を薄型化することが可能になる。
【０１３６】
なお、高熱伝導性シートは、たとえば、カーボングラファイトシート、銅箔シートあるいはアルミニウム箔シート等である。高熱伝導性シートがカーボングラファイトシートである場合には、高熱伝導性シートの熱伝導性がより高くなるため、たとえば、高熱伝導性シートの厚さが３０μｍ程度であっても光源６の熱をより効率的に放散することが可能になる。また、高熱伝導性シートが銅箔シートである場合には、たとえば、高熱伝導性シートの厚さを０．３ｍｍ程度とすることで、光源６の熱をより効率的に放散することが可能になる。また、凹溝部９ｄの、ネジ２２によって枠部５ａと締結される部分と、高熱伝導性シートとの間に熱伝導シート（サーマルシート）や熱伝導パッドを介在させても良い。
【０１３７】
また、高熱伝導性シートの周縁部は、たとえば、ケース９の側面部９ｂと基部８ａとの間に挟まれた状態で配置されても良い。さらに、高熱伝導性シートの周縁部は、光源実装部７ａと基部８ａとの間まで延びていなくても良く、この場合には、高熱伝導性シートの周縁部は、第２延設部８ｃと枠部５ａとの間、および、凹溝部９ｄと枠部５ａとの間に挟まれた状態で配置されている。また、高熱伝導性シートの周縁部は、第２延設部８ｃと枠部５ａとの間まで延びていなくても良く、この場合には、高熱伝導性シートの周縁部は、凹溝部９ｄと枠部５ａとの間に挟まれた状態で配置されている。また、高熱伝導性シートの後ろ側に補強プレートが配置されていなくても良い。
【０１３８】
（他の実施の形態）
上述した形態では、基板７の光源実装部７ａに偶数個の光源６が実装されているが、光源実装部７ａに奇数個の光源６が実装されても良い。また、上述した形態では、ＬＥＤ光源である光源６が基板７に実装されているが、基板７に実装される光源６は、ＬＥＤ光源以外の光源であっても良い。また、光源６は、ＣＣＦＬ（Ｃｏｌｄ  Ｃａｔｈｏｄｅ  Ｆｌｕｏｒｅｓｃｅｎｔ  Ｌａｍｐ：冷陰極蛍光管）であっても良いし、白熱電球等の電球であっても良いし、蛍光灯であっても良い。光源６の種類によっては、光源６が実装される基板７が不要になる場合がある。この場合には、光源６は、光源保持部材８に直接保持される。また、この場合には、導光板２の突起部２ｆの先端面は、光源保持部材８の基部８ａに当接する。
【０１３９】
上述した形態では、拡散板３の外周面と突出部３ｂの内側面３ｆとは互いに平行になっているが、拡散板３の外周面と内側面３ｆとが平行になっていなくても良い。この場合には、導光板２の光射出面２ｃに対する拡散板３の外周面の角度や光射出面２ｃに対する内側面３ｆの角度に応じて、拡散板３の外周面や内側面３ｆで全反射する光の量や全反射する方向を変えることが可能になる。また、上述した形態では、光入射面３ｃと光射出面２ｃとが平行になっているが、光入射面３ｃと光射出面２ｃとが平行になっていなくても良い。この場合には、光射出面２ｃに対する光入射面３ｃの角度に応じて、光射出面２ｃから光入射面３ｃに入射する光の量を変えることが可能になる。
【０１４０】
上述した形態では、照明装置１は、長方形の平板状に形成されているが、照明装置１は、正方形の平板状に形成されても良いし、長方形および正方形以外の四角形の平板状に形成されても良い。また、照明装置１は、五角形、六角形あるいは八角形等の四角形以外の多角形の平板状に形成されても良い。また、上述した形態において、光源保持部材８の第１延設部８ｂに代えて、光入射面３ｃに遮光性を有するテープを貼着したり、遮光性を有する塗料を塗布したりすることも可能である。なお、上述した形態では、導光板２および拡散板３に光散乱粒子が含有されているが、光射出面３ａの輝度（光射出面３ａの全体の明るさ）を均一化することができるのであれば、導光板２に光散乱粒子が含有されていなくても良いし、拡散板３に光散乱粒子が含有されていなくても良い。
【符号の説明】
【０１４１】
１  照明装置
２  導光板
２ａ、２ｂ  端面
２ｆ  突起部
２ｇ  貫通孔
６  光源
７  基板
７ｄ  基板の端部
８  光源保持部材
８ａ  基部
２０  ネジ
２０ａ  軸部
Ｚ  導光板の厚さ方向
【図１】
0006587505.tif 000012
【図２】
0006587505.tif 000013
【図３】
0006587505.tif 000014
【図４】
0006587505.tif 000015
【図５】
0006587505.tif 000016
【図６】
0006587505.tif 000017
【図７】
0006587505.tif 000018
【図８】
0006587505.tif 000019
【図９】
0006587505.tif 000020
【図１０】
0006587505.tif 000021
【図１１】
0006587505.tif 000022
【図１２】
0006587505.tif 000023
【図１３】
0006587505.tif 000024
【図１４】
0006587505.tif 000025
【図１５】
0006587505.tif 000026
【図１６】
0006587505.tif 000027
【図１７】
0006587505.tif 000028
【図１８】
0006587505.tif 000029
【図１９】
0006587505.tif 000030
【図２０】
0006587505.tif 000031
【図２１】
0006587505.tif 000032
【図２２】
0006587505.tif 000033
【図２３】
0006587505.tif 000034
【図２４】
0006587505.tif 000035
【図２５】
0006587505.tif 000036